(57)【要約】      （修正有）【課題】仏壇本体に設置されている長押、中段、下段の仏壇正面側端面にそれぞれ凹部を設け、その内部に照明器具を設置することで、仏壇本体の厳かな発光による質感と美観に優れる仏壇を提供する。【解決手段】仏壇本体正面上部に位置する欄間１４０の下に配置される長押１１０と、仏壇本体正面中央部に設置される中段１２０と、仏壇本体正面下部に設置される下段１３０を有する仏壇において、それぞれ長押、中段、下段に使用される木製の板の仏壇本体正面側の端面に、凹部の中に設置する光源の種類に対応して木の一部を掘り込むことにより凹部１０１，１０２，１０３を設け、中に照明器具を設置する。【選択図】図１
0003149096.tif 000002
【実用新案登録請求の範囲】
【請求項１】
仏壇本体正面上部に位置する欄間の下に配置される長押と、仏壇本体正面中央部に設置される中段と、仏壇本体正面下部に設置される下段を有する仏壇において、
前記長押、前記中段、前記下段に使用される木製の板の仏壇本体正面側の端面において、
木の一部を掘り込み凹部を設け、前記凹部の中に照明器具を設置することを特徴とする仏壇。
【請求項２】
請求項１に記載の仏壇において、
前記各凹部の中に設置する照明器具の光源は、ＬＥＤまたは白熱電球であることを特徴とする仏壇。
【請求項３】
請求項１または請求項２に記載の仏壇において、
前記各凹部は、前記各端面に、前記各端面の左右両端近辺の位置に及ぶ一連の長い形状のものを１個配置することを特徴とする仏壇。
【請求項４】
請求項１または請求項２に記載の仏壇において、
前記各凹部は、前記各端面に、横幅の短い形状の凹部を複数個配置することを特徴とする仏壇。
【請求項５】
請求項１乃至請求項４のいずれかに記載の仏壇において、
前記各凹部は、前記凹部の前面に、前記凹部の中に設置されている前記照明器具に蓋をするために、木材を立体的な装飾模様に加工して形成された彫物を嵌め込むことを特徴とする仏壇。
【考案の詳細な説明】
【技術分野】
【０００１】
本考案は、仏壇本体に設けられた長押、中段、下段の仏壇本体正面側端面に凹部を設け、凹部の中に照明器具を設置した仏壇に関する。
【背景技術】
【０００２】
従来の長押、中段、下段を有する仏壇においては、仏壇本体に設けられた長押、中段、下段の正面側各端面には、通常、装飾模様の施された金具が貼り付けられている場合が多い。
【０００３】
また近年では、仏壇本体の天井内側に照明器具を設置して仏壇内に照明を当てたり、あるいは、仏壇の本体の左右に位置する柱に光源を設置して、仏壇に両脇から照明を当てたりする場合がある。
【０００４】
そこで、考案者は、仏壇本体に設置されている長押、中段、下段の仏壇正面側端面に凹部を設けて中に照明器具を埋め込むことによって、仏壇本体自身を光らせることで正面から見た仏壇の質感が向上することに着目した。
【特許文献１】特許第３５３０８５９号
【考案の開示】
【考案が解決しようとする課題】
【０００５】
本考案は、照明により仏壇本体内に置かれている種々の物が照らされるのではなく、仏壇本体正面に設置されている長押、中段、下段の各端面の内部に凹部を設け中に照明器具を設置することによって、長押、中段、下段自身が光ることにより、仏壇内部からの光が生み出される仏壇を提供することを目的とする。
【課題を解決するための手段】
【０００６】
請求項１に記載された考案は、仏壇本体正面上部に位置する欄間の下に配置される長押と、仏壇本体正面中央部に設置される中段と、仏壇本体正面下部に設置される下段を有する仏壇において、
前記長押、前記中段、前記下段に使用される木製の板の仏壇本体正面側の端面において、
木の一部を掘り込み凹部を設け、前記凹部の中に照明器具を設置することを特徴とする。
【０００７】
請求項２に記載された考案は、請求項１に記載の仏壇において、
前記各凹部の中に設置する照明器具の光源は、ＬＥＤまたは白熱電球であることを特徴とする。
【０００８】
請求項３に記載された考案は、請求項１または請求項２に記載の仏壇において、
前記各凹部は、前記各端面に、前記各端面の左右両端近辺の位置に及ぶ一連の長い形状のものを１個配置することを特徴とする。
【０００９】
請求項４に記載された考案は、請求項１または請求項２に記載の仏壇において、
前記各凹部は、前記各端面に、横幅の短い形状の凹部を複数個配置することを特徴とする。
【００１０】
請求項５に記載された考案は、請求項１乃至請求項４のいずれかに記載の仏壇において、
前記各凹部は、前記凹部の前面に、前記凹部の中に設置されている前記照明器具に蓋をするために、木材を立体的な装飾模様に加工して形成された彫物を嵌め込むことを特徴とする。
【考案の効果】
【００１１】
本考案に係る仏壇は、仏壇本体に設置されている長押、中段、下段の仏壇正面側端面に凹部を設け、中に照明器具を埋め込んで光らすことによって、仏壇本体の水平ラインが強調されて仏壇の質感が向上するとともに、仏壇内を明るく照らす照明とは異なり、仏壇本体からの厳かな光の演出により美観に優る仏壇が作成されることに着目した。
【考案を実施するための最良の形態】
【００１２】
以下、図を参照しつつ、本考案を実施するための最良の形態につき説明する。
（実施の形態１）
実施の形態１は、仏壇本体に設置されている長押、中段、下段の仏壇正面側端面に、光源を埋め込める程度の大きさを有する凹部を設け、中に照明器具を埋め込んで光らすことを特徴とする。
【００１３】
図１は実施の形態１に係る仏壇本体の構成を説明するためのA−A切断線断面図である。
【００１４】
図１において、１１０は実施の形態１に係る仏壇本体（１００）上部の欄間（１４０）の下に位置する長押である。１２０は仏壇本体中央部に位置する中段であり、１３０は仏壇本体下部に位置する下段である。長押１１０が欄間の延長にある奥行きの浅い板であるのに対し、中段１２０および下段１３０は、仏壇内部の台の一部ともなっており、仏壇本体の背面までの奥行きのある板である。また１５０は仏壇の扉である。図２に示された１５０の内側に位置する扉はここでは省略してある。
【００１５】
ここで１１１は長押１１０の仏壇本体正面側の端面であり、１２１は中段１２０の仏壇本体正面側の端面であり、１３１は下段１３０の仏壇本体正面側の端面である。１１０，１２０，１３０には、それぞれ仏壇本体正面側の端面（１１１，１１２，１１３）に、木の厚みの一部を掘り込んで、中に光源を埋め込めこめる程度の大きさを有する凹部がそれぞれ設けられている。１０１は、長押１１０に設けられた凹部であり、１０２は、中段１２０に設けられた凹部であり、１０３は、下段１３０に設けられた凹部である。各凹部は、中に光源を埋め込む目的で、木の厚みの一部を掘り込み作成したものであって、光源の種類と大きさに対応する大きさと形状を有するものであれば良く、特に形状に特徴のあるものではない。
【００１６】
１０１，１０２，１０３の各凹部の形状が、各凹部の中に設置する光源の種類に対応して、各端面の左右両端近辺の位置に及ぶ一連の長い形状のものの場合には、各端面に凹部は１個ずつ配置する。一方、各凹部の中に設置する光源の種類に対応して、１０１，１０２，１０３の各凹部の形状が横幅の短い形状の場合には、各３つの端面には複数個ずつ凹部を配置する。
【００１７】
また凹部の中に設置する照明器具の光源は、ＬＥＤまたは白熱電球とし、仏壇内部に適当な配線を施して電源に連結する。
【００１８】
図２は実施の形態１に係る仏壇本体の構成を説明するための説明用正面図である。
【００１９】
１１１，１２１，１３１の各端面に作成される１０１，１０２，１０３の各凹部は、各凹部の中に設置する光源の種類に対応して単数または複数個とするが、いずれの場合も仏壇本体正面側の端面が光ることによって、仏壇正面からの美観の向上に効果を発揮する。ただし図２で示される凹部の設置される位置および個数は例示であって、これに限定されるものではなく、また凹部の形状も単なる例示でありこれに限定されない。
【００２０】
また凹部の設けられた仏壇本体正面側の各端面１１１，１２１，１３１には、それぞれその前面に、木材を立体的な装飾模様に加工して形成された彫物を嵌め込むことも可能である。この場合には、彫物の隙間から中の光が漏れ出ることにより更に照明効果が増し、荘厳な雰囲気を作ることが可能となり正面から見た仏壇の質感を更に向上させ得る。
【００２１】
図１および図２は各凹部を設置する部位を説明するための概略説明図であって、仏壇の形状はこれに限定されるものではない。
【図面の簡単な説明】
【００２２】
【図１】実施の形態１に係る仏壇本体の構成を説明するためのA−A切断線断面図である。
【図２】実施の形態１に係る仏壇本体の構成を説明するための正面図である。
【符号の説明】
【００２３】
１００      仏壇本体
１０１      長押の仏壇本体正面側の端面１１１に設けられた凹部
１０２      中段の仏壇本体正面側の端面１２１に設けられた凹部
１０３      下段の仏壇本体正面側の端面１３１に設けられた凹部
１１０      仏壇の長押
１１１      長押の仏壇本体正面側の端面
１２０      仏壇の中段
１２１      中段の仏壇本体正面側の端面
１３０      仏壇の下段
１３１      下段の仏壇本体正面側の端面
１４０      仏壇の欄間
１５０      仏壇扉
【図１】
0003149096.tif 000003
【図２】
0003149096.tif 000004